(57)【要約】【課題】損券・損貨や商品券等の入金不能媒体を含む売上金の入金処理を正確に行う。【解決手段】売上金に含まれる入金不能媒体の情報を受け付ける操作受付部１０２、前記売上金の入金処理に割り当てられた処理番号の情報を含むレシートを発行するレシート発行部１０４、入金処理が完了しているか否かを記憶する記憶部１１５、及び読み取り番号情報を受信し、前記読み取り番号情報と前記記憶部に記憶されている処理番号とを照合し、一致している処理番号の入金処理を完了させる制御部１１４、を有する売上金入金機１００と、前記入金不能媒体と前記レシートとが格納された封筒が投入される投入口２０２に設けられ、前記レシートの処理番号情報を読み取る読み取り部２０１、及び読み取った処理番号情報を前記読み取り番号情報として制御部１１４へ送信する制御部２０３、を有する封筒受付装置２００と、を備える。【選択図】図１
2010020509.tif 000002
【特許請求の範囲】
【請求項１】
売上金に含まれる入金不能媒体の情報を受け付ける操作受付部、
前記操作受付部を介して与えられた入金不能媒体情報が印字されており、かつ前記売上金の入金処理に割り当てられた処理番号の情報を含むレシートを発行するレシート発行部、
前記処理番号と、この処理番号が割り当てられている入金処理が完了しているか否かを記憶する記憶部、及び
読み取り番号情報を受信し、前記読み取り番号情報と前記記憶部に記憶されている処理番号とを照合し、一致している処理番号の入金処理を完了させる第１の制御部、
を有する売上金入金機と、
前記入金不能媒体と前記レシートとが格納された封筒が投入される投入口、
前記投入口に設けられ、前記レシートに含まれる前記処理番号情報を読み取る読み取り部、及び
前記読み取り部により読み取られた処理番号情報を前記読み取り番号情報として前記第１の制御部へ送信する第２の制御部、
を有する封筒受付装置と、
を備える売上金入金システム。
【請求項２】
前記入金不能媒体は、損券、損貨、商品券の少なくともいずれか１つを含むことを特徴とする請求項１に記載の売上金入金システム。
【請求項３】
前記レシート発行部は、前記処理番号情報を示すバーコードが印字されたレシートを発行し、前記読み取り部はバーコードリーダであることを特徴とする請求項１又は２に記載の売上金入金システム。
【請求項４】
前記レシート発行部は、前記処理番号情報を記憶するＩＣタグを含むレシートを発行し、前記読み取り部はＩＣタグリーダであることを特徴とする請求項１又は２に記載の売上金入金システム。
【請求項５】
売上金に含まれる入金不能媒体の情報を操作受付部を介して入力し、
前記入金不能媒体情報が印字され、前記売上金の入金処理に割り当てられた処理番号の情報を含むレシートを発行し、
前記入金不能媒体及び前記レシートを封筒に格納し、
前記レシートの処理番号情報を封筒受付装置の受入口に設けられた読み取り部が読み取り、
前記封筒受付装置内に前記封筒を収納し、
前記読み取られた処理番号と同じ処理番号の入金処理を完了させる売上金入金方法。
【請求項６】
前記レシートは、前記処理番号の情報を示すバーコードが印字されていることを特徴とする請求項５に記載の売上金入金方法。
【請求項７】
前記入金不能媒体は、商品券、売上金入金機で識別できずに返却された貨幣の少なくともいずれか一方を含むことを特徴とする請求項５又は６に記載の売上金入金方法。
【発明の詳細な説明】
【技術分野】
【０００１】
本発明は、売上金入金システム及び売上金入金方法に関するものである。
【背景技術】
【０００２】
小売店舗は店舗内に、売上金を入金して識別計数を行い入金処理する売上金入金機を設置している（例えば特許文献１参照）。売上金入金機で識別できない損券・損貨や、商品券等の現金以外の金券については、店員（操作者）が計数してその金額を売上金入金機に手入力していた。そして、手入力した金額が明細票に印字して出力され、店員はその明細票を損券・損貨及び商品券等と共に封筒に入れて現金外ボックスに投函していた。
【０００３】
しかし、このような従来の運用では、現金外ボックスから回収した封筒が誰によって投函されたものか分からず、また店員による封筒の投函の有無の確認を厳正に行えないため、売上金の正確な入金処理が行えないという問題があった。
【特許文献１】特許第３８６８６７７号明細書
【発明の開示】
【発明が解決しようとする課題】
【０００４】
本発明は損券・損貨や商品券等の入金不能媒体を含んだ売上金の入金処理を正確に行うことができる売上金入金システム及び売上金入金方法を提供することを目的とする。
【課題を解決するための手段】
【０００５】
本発明の一態様による売上金入金システムは、売上金に含まれる入金不能媒体の情報を受け付ける操作受付部、前記操作受付部を介して与えられた入金不能媒体情報が印字されており、かつ前記売上金の入金処理に割り当てられた処理番号の情報を含むレシートを発行するレシート発行部、前記処理番号と、この処理番号が割り当てられている入金処理が完了しているか否かを記憶する記憶部、及び読み取り番号情報を受信し、前記読み取り番号情報と前記記憶部に記憶されている処理番号とを照合し、一致している処理番号の入金処理を完了させる第１の制御部、を有する売上金入金機と、前記入金不能媒体と前記レシートとが格納された封筒が投入される投入口、前記投入口に設けられ、前記レシートに含まれる前記処理番号情報を読み取る読み取り部、及び前記読み取り部により読み取られた処理番号情報を前記読み取り番号情報として前記第１の制御部へ送信する第２の制御部、を有する封筒受付装置と、を備えるものである。
【０００６】
本発明の一態様による売上金入金システムにおいては、前記入金不能媒体は、損券、損貨、商品券の少なくともいずれか１つを含むことが好ましい。
【０００７】
本発明の一態様による売上金入金システムにおいては、前記レシート発行部は、前記処理番号情報を示すバーコードが印字されたレシートを発行し、前記読み取り部はバーコードリーダであることが好ましい。
【０００８】
本発明の一態様による売上金入金システムにおいては、前記レシート発行部は、前記処理番号情報を記憶するＩＣタグを含むレシートを発行し、前記読み取り部はＩＣタグリーダであることが好ましい。
【０００９】
本発明の一態様による売上金入金方法は、売上金に含まれる入金不能媒体の情報を操作受付部を介して入力し、前記入金不能媒体情報が印字され、前記売上金の入金処理に割り当てられた処理番号の情報を含むレシートを発行し、前記入金不能媒体及び前記レシートを封筒に格納し、前記レシートの処理番号情報を封筒受付装置の受入口に設けられた読み取り部が読み取り、前記封筒受付装置内に前記封筒を収納し、前記読み取られた処理番号と同じ処理番号の入金処理を完了させるものである。
【００１０】
本発明の一態様による売上金入金方法においては、前記レシートは、前記処理番号の情報を示すバーコードが印字されていることが好ましい。
本発明の一態様による売上金入金方法においては、前記入金不能媒体は、商品券、売上金入金機で識別できずに返却された貨幣の少なくともいずれか一方を含むことが好ましい。
【発明の効果】
【００１１】
本発明によれば、損券・損貨や商品券等の入金不能媒体を含んだ売上金の入金処理を正確に行うことができる。
【発明を実施するための最良の形態】
【００１２】
以下、本発明の実施の形態を図面に基づいて説明する。
【００１３】
図１に本発明の実施形態に係る売上金入金システムの外観を示す。売上金入金システムは売上金入金機１００及び封筒受付装置２００を備え、店舗等における売上金の入金処理を行うものである。売上金には商品券等の現金以外の金券や、損券・損貨等の売上金入金機１００で扱えない入金不能媒体が含まれており、封筒受付装置２００はこの入金不能媒体を保管するものである。
【００１４】
売上金入金機１００は機体１０１の上部に表示操作部１０２、カードリーダ１０３、レシート発行部１０４、紙幣受入部１０５、及び硬貨受入部１０６が設けられている。
【００１５】
機体１０１の前面には紙幣リジェクト口１０７及び硬貨リジェクト口１０８が開設されている。機体１０１前面下部では前扉１０９が開閉可能とされており、機体１０１内の紙幣カセット１１０及び硬貨カセット１１１を出し入れすることができるようになっている。
【００１６】
表示操作部１０２は表示画面及び操作受付手段を有する。操作者は操作受付手段を介して売上金入金機１００に所望の操作や情報を入力することができる。例えば操作者は操作受付手段を介して売上金の入金処理開始指示、入金不能媒体処理開始指示、入金不能媒体金額情報等を与える。操作受付手段は例えばタッチキーである。
【００１７】
操作者が入金処理開始指示を与えると、その入金処理には固有の処理番号が割り当てられる。
【００１８】
カードリーダ１０３は操作者のＩＤカードを読み取る。紙幣受入部１０５は載置された紙幣を１枚ずつ機内へ取り込む。硬貨受入部１０６は投入された硬貨を１枚ずつ機内へ取り込む。
【００１９】
売上金入金機１００における紙幣処理部について図２を用いて説明する。紙幣受入部１０５によって取り込まれた紙幣は紙幣搬送部１１２により搬送され、紙幣搬送部１１２に設けられた紙幣識別部１１３により識別・計数が行われる。
【００２０】
紙幣識別部は識別計数結果を制御部１１４へ出力する。制御部１１４は識別計数結果に基づいて紙幣搬送部１１２の制御を行う。また、制御部１１４は識別計数結果をその入金処理に割り当てられた処理番号及び操作者のＩＤ番号と共に記憶部１１５に記憶する。
【００２１】
紙幣搬送部１１２には一時保留部１１６及び紙幣リジェクト部１１７が連結されている。紙幣識別部１１３で識別された紙幣は一時保留部１１６へ搬送され、一時保留される。一時保留部１１６内の紙幣は収納指令に基づいて紙幣カセット１１０に収納される。
【００２２】
紙幣識別部１１３で識別できなかった損券などは紙幣リジェクト部１１７へ搬送され、紙幣リジェクト口１０７から返却される。
【００２３】
売上金入金機１００における硬貨処理部も紙幣処理部と同様の処理を行うものであり、説明は省略する。
【００２４】
操作者は、紙幣リジェクト口１０７、硬貨リジェクト口１０８から、識別できなかった損券、損貨が返却された場合や、商品券などの現金以外の金券が売上金に含まれている場合は、売上金入金機１００に入金不能媒体処理開始指示を与える。
【００２５】
操作者は入金不能媒体の金額を計数し、計数した金額を操作受付手段を介して売上金入金機１００に入力する。制御部１１４は入力された入金不能媒体金額情報を記憶部１１５に記憶する。また、制御部１１４は、この入金不能媒体金額情報と、対応する処理番号とをレシート発行部１０４へ出力する。
【００２６】
レシート発行部１０４は入金不能媒体金額情報及び処理番号を印字したレシートを発行する。処理番号は、封筒受付装置２００に設けられた読み取り部２０１により読み取り可能となるようにレシートに印字される。例えば、読み取り部２０１がバーコードリーダであれば、レシート発行部１０４からは図３（ａ）に示すような、処理番号を示すバーコードが印字されたレシートが発行される。
【００２７】
操作者は発行されたレシートと入金不能媒体とを図３（ｂ）に示すような封筒に入れる。封筒３００には窓部３０１が設けられており、この窓部３０１にレシートの処理番号が位置するようにレシートを入れる。窓部３０１は例えば透明フィルムで構成される。
【００２８】
図１及び図４に示すように、封筒受付装置２００は前面に封筒受入口２０２が開設されており、封筒受入口２０２には読み取り部２０１が設けられている。レシート及び入金不能媒体を格納する封筒が封筒受入口２０２に載置されると、読み取り部２０１がレシートに印字された処理番号を窓部３０１を介して読み取る。読み取り部２０１は読み取った処理番号情報を制御部２０３へ出力する。
【００２９】
制御部２０３は読み取り部２０１から処理番号情報が与えられると、封筒受入口２０２の奥に設けられたシャッター２０４を開き、封筒が封筒受付装置２００の内部に収納されるようにする。また、制御部２０３は処理番号情報を売上金入金機１００の制御部１１４へ出力する。
【００３０】
封筒受付装置２００には開閉可能な扉（図示せず）が設けられており、装置内に収納された封筒を取り出すことができる。
【００３１】
制御部１１４は封筒受付装置２００（制御部２０３）から処理番号情報を受け取ると、記憶部１１５を検索し、受け取った処理番号と一致する処理番号の入金処理を完了させる。
【００３２】
売上金入金機１００は記憶部１１５に記憶されている入金処理データを警送センターへ送信する。警送センターの警備員により売上金入金機１００の紙幣カセット１１０及び硬貨カセット１１１に収納されている貨幣と、封筒受付装置２００内の封筒が回収され、警送センターにて照合される。
【００３３】
次に、このような売上金入金システムを用いた売上金入金方法を図５に示すフローチャートを用いて説明する。
【００３４】
（ステップＳ５０１）表示操作部１０２の操作受付手段を介して入金処理開始指示が与えられる。また、この入金処理に固有の処理番号が割り当てられる。
【００３５】
（ステップＳ５０２）カードリーダ１０３により操作者のＩＤカードの読み取りが行われる。そして、処理番号とＩＤ番号とが組み合わされて記憶部１１５に記憶される。例えば処理番号Ｍ１と操作者のＩＤ番号１８とが組み合わされて、図６（ａ）に示すような形式で記憶部１１５に記憶される。
【００３６】
（ステップＳ５０３）紙幣受入部１０５、硬貨受入部１０６にそれぞれ売上金の紙幣、硬貨が投入され、識別・計数が行われる。そして、計数結果が記憶部１１５に例えば図６（ｂ）に示すような形式で記憶される。
【００３７】
（ステップＳ５０４）識別不能な紙幣（損券）、硬貨（損貨）が紙幣リジェクト口１０７、硬貨リジェクト口１０８から返却されているか否かが確認される。返却された貨幣がある場合はステップＳ５０７へ進み、無い場合はステップＳ５０５へ進む。
【００３８】
（ステップＳ５０５）売上金に商品券等の現金以外の金券が含まれているか否かが確認される。含まれている場合はステップＳ５０７へ進み、含まれていない場合はステップＳ５０６へ進む。
【００３９】
（ステップＳ５０６）投入された貨幣の識別計数結果が表示操作部１０２の表示画面に表示される。表示結果を承認する場合は表示操作部１０２の確認キーを押して、入金処理を完了する。このとき、記憶部１１５には例えば図６（ｃ）に示すような形式で処理完了の情報が記憶される。
【００４０】
承認しない場合は表示操作部１０２の中断キーを押して、一時保留されている貨幣を取り出し、ステップＳ５０３へ戻り再度入金、識別・計数を行う。
【００４１】
（ステップＳ５０７）表示操作部１０２の操作受付手段を介して入金不能媒体処理開始指示が与えられる。
【００４２】
（ステップＳ５０８）操作者が入金不能媒体を確認し、操作受付手段を介して金種及び枚数を入力する。入力された入金不能媒体の金種及び枚数は例えば図７（ａ）に示すような形式で記憶部１１５に記憶される。
【００４３】
（ステップＳ５０９）入金不能媒体の金種及び枚数とこの入金処理に対応する処理番号情報とが印字されたレシートが発行される。処理番号情報は読み取り部２０１が読み取り可能な形式で印字される。
【００４４】
（ステップＳ５１０）封筒に入金不能媒体とレシートを格納する。
【００４５】
（ステップＳ５１１）封筒受付装置２００の封筒受入口２０２に設けられた読み取り部２０１にレシートに印字された処理番号情報を読み取らせて、装置内に封筒を投函する。
【００４６】
（ステップＳ５１２）読み取り部２０１により読み取られた処理番号情報が売上金入金機１００に出力される。
【００４７】
（ステップＳ５１３）売上金入金機１００は受け取った処理番号情報と、記憶部１１５に記憶されている処理番号とを照合し、処理番号が一致していれば、入金不能媒体処理を終了する。
【００４８】
その後、操作者は表示操作部１０２の表示画面に表示された識別可能な貨幣の識別計数結果を確認し、その結果を承認する場合は、表示操作部１０２の確認キーを押して入金処理を完了する（ステップＳ５０６）。
【００４９】
このとき、記憶部１１５には例えば図７（ｂ）に示すような形式で処理完了の情報が記憶される。承認しない場合は表示操作部１０２の中断キーを押して、一時保留されている貨幣を取り出し、再度売上金入金機１００への入金、識別・計数を行う。
【００５０】
例えば、図８（ａ）に示すように処理番号Ｍ１〜Ｍ５の複数の入金処理についての情報が記憶部１１５に記憶されており、読み取り部２０１により処理番号Ｍ４が読み取られて売上金入金機１００へ送信されると、図８（ｂ）に示すように、処理番号Ｍ４の入金処理を完了とする。売上金に入金不能媒体が含まれていた処理番号Ｍ２の入金処理と処理番号Ｍ４の入金処理とを区別し、封筒の投函が行われた入金処理を正確に把握することができる。
【００５１】
このように、本実施形態では、入金不能媒体が含まれる売上金の入金処理において、各入金処理に割り当てられる固有の処理番号を印字したレシートを発行し、レシートと入金不能媒体を格納する封筒を、封筒受付装置の読み取り部でレシートの処理番号を読み取らせてから装置内に収納するようにしている。そして、封筒受付装置により読み取られた処理番号を売上金入金機が受信することで、入金処理を完了させている。
【００５２】
そのため、封筒の投函の有無の確認を厳正に行うことができ、入金不能媒体を含む売上金の入金処理を正確に行うことができる。
【００５３】
上記実施形態ではバーコードが封筒の窓部に位置するように封筒内にレシートを格納していたが、レシートをシール等にして封筒表面に貼り付けるようにしてもよい。
【００５４】
また、レシート発行部からは処理番号情報を記憶するＩＣタグを発行するようにしてもよい。このとき、封筒受付装置の読み取り部はＩＣタグリーダーとなる。
【００５５】
上記実施形態では入金不能媒体及びレシートを封筒に格納していたが、他の操作者により封筒受付装置へ投函された入金不能媒体及びレシートと区別できるものであれば封筒に限定されず、袋などでもよい。
【００５６】
上記実施形態では図１に示すように売上金入金機と封筒受付装置とをＬＡＮケーブル等により有線接続していたが、封筒受付装置が読み取った情報を売上金入金機へ無線送信するような構成にしてもよい。
【００５７】
上記実施形態では図５に示すように、入金不能媒体があった場合に、入金不能媒体及びレシートを格納した封筒を封筒受付装置２００へ投函した後に確認キーを押して入金処理を完了させていたが、レシート発行（ステップＳ５０９）後に表示結果の承認（ステップＳ５０６）を行って入金処理を暫定的に終了させ、封筒への格納（ステップＳ５１０）〜処理番号の照合（ステップＳ５１３）を別処理で行って、入金処理を最終的に完了させるようにしてもよい。
【００５８】
これにより、入金不能媒体の封筒受付装置２００への投函処理を行っている間に、次の入金処理を開始することができ、処理効率が向上する。
【００５９】
上述した実施の形態は一例であって限定的なものではないと考えられるべきである。本発明の技術的範囲は特許請求の範囲によって示され、特許請求の範囲と均等の意味および範囲内でのすべての変更が含まれることが意図される。
【図面の簡単な説明】
【００６０】
【図１】本発明の実施形態に係る売上金入金システムの外観斜視図である。
【図２】同実施形態に係る売上金入金システムにおける売上金入金機のブロック図である。
【図３】同実施形態に係る売上金入金システムにおける売上金入金機から発行されるレシートと、レシートを格納する封筒の一例を示す図である。
【図４】同実施形態に係る売上金入金システムにおける封筒受付装置のブロック図である。
【図５】同実施形態に係る売上金入金方法を説明するフローチャートである。
【図６】同実施形態に係る記憶部における入金処理の記憶フォーマットの一例を示す図である。
【図７】同実施形態に係る記憶部における入金処理の記憶フォーマットの一例を示す図である。
【図８】同実施形態に係る記憶部における入金処理の記憶フォーマットの一例を示す図である。
【符号の説明】
【００６１】
１００  売上金入金機
１０１  機体
１０２  操作表示部
１０３  カードリーダ
１０４  レシート発行部
１０５  紙幣受入部
１０６  硬貨受入部
１０７  紙幣リジェクト口
１０８  硬貨リジェクト口
１０９  前扉
１１０  紙幣カセット
１１１  硬貨カセット
２００  封筒受付装置
２０１  読み取り部
２０２  封筒受入口
【図１】
2010020509.tif 000003
【図２】
2010020509.tif 000004
【図３】
2010020509.tif 000005
【図４】
2010020509.tif 000006
【図５】
2010020509.tif 000007
【図６】
2010020509.tif 000008
【図７】
2010020509.tif 000009
【図８】
2010020509.tif 000010